(57)【要約】【課題】長尺紙を使用する場合も、用紙面の読み取りと色見本部材の読み取りを切り替える。【解決手段】画像形成装置は、搬送経路に沿って長尺紙を搬送する搬送部材（５１〜５４）と、前記長尺紙上に画像形成する画像形成部と、前記画像形成部により画像形成され、前記搬送経路に沿って搬送される長尺紙上の画像を読み取る画像読取部（３０）と、色見本部材（４２）と、を備え、前記画像読取部に対向する位置の前記搬送経路を変更することにより、前記画像読取部が前記長尺紙面を読み取る第１配置と、前記画像読取部が前記色見本部材を読み取る第２配置と、を切り替える。【選択図】図３Ａ
2019054553.tif 000002
【特許請求の範囲】
【請求項１】
搬送経路に沿って長尺紙を搬送する搬送部材と、
前記長尺紙上に画像形成する画像形成部と、
前記画像形成部により画像形成され、前記搬送経路に沿って搬送される長尺紙上の画像を読み取る画像読取部と、
色見本部材と、を備え、
前記画像読取部に対向する位置の前記搬送経路を変更することにより、前記画像読取部が前記長尺紙面を読み取る第１配置と、前記画像読取部が前記色見本部材を読み取る第２配置と、を切り替える
ことを特徴とする画像形成装置。
【請求項２】
前記色見本部材及び前記搬送部材を移動することにより、前記搬送経路を変更する
ことを特徴とする請求項１に記載の画像形成装置。
【請求項３】
前記搬送経路の変更前後において、前記長尺紙の張力が一定となるように、前記長尺紙の搬送速度を調整する
ことを特徴とする請求項１又は２に記載の画像形成装置。
【請求項４】
前記色見本部材は、前記画像読取部と対向する表面に複数の色領域を備え、
前記色見本部材が備える各色領域と、前記画像読取部とが対向するように、前記色見本部材及び前記搬送部材の移動量を調整する
ことを特徴とする請求項１〜３のいずれか一項に記載の画像形成装置。
【請求項５】
前記第２配置において、前記色見本部材を介して前記画像読取部と対向する位置における前記長尺紙の搬送を停止する
ことを特徴とする請求項１〜４のいずれか一項に記載の画像形成装置。
【請求項６】
前記搬送部材は、前記画像読取部よりも搬送方向上流側に配置された１又は複数のダンサーローラーを備え、
前記第１配置から前記第２配置への切り替え時、前記ダンサーローラーが移動することにより、前記長尺紙の搬送を停止する
ことを特徴とする請求項５に記載の画像形成装置。
【請求項７】
さらに背景部材を有し、
前記背景部材、前記色見本部材及び前記搬送部材を移動することにより、前記搬送経路を変更する
ことを特徴とする請求項１〜６のいずれか一項に記載の画像形成装置。
【請求項８】
前記画像読取部は撮像素子を用いたセンサーである
ことを特徴とする請求項１〜７のいずれか一項に記載の画像形成装置。
【請求項９】
前記色見本部材は白の色領域を有する
ことを特徴とする請求項１〜８のいずれか一項に記載の画像形成装置。
【発明の詳細な説明】
【技術分野】
【０００１】
本発明は、画像形成装置に関する。
【背景技術】
【０００２】
画像形成装置のなかには、画像形成後の用紙面を読み取る画像読取部を搭載しているものがある。
この画像読取部により得られた読取画像を用いて、形成した画像の位置ずれの検出（例えば、特許文献１参照。）や、シェーディング補正と呼ばれる画像読取部の輝度ムラの補正等の各種キャリブレーションを実行することができる（例えば、特許文献２参照。）。
【０００３】
画像の位置ずれの検出時は用紙面を読み取るため、用紙面を介して画像読取部と対向する位置に反射板として表面が白色の背景部材を配置するが、キャリブレーション時には表面が基準色の色見本部材を読み取るため、画像読取部と対向する位置に用紙を介さずに色見本部材を配置する必要がある。
【０００４】
読み取る対象によって背景部材と色見本部材を切り替えるため、図１０に示すように、側面に背景部材Ｆ１と色見本部材Ｆ２を備える多角柱体Ｆを使用することができる。例えば、画像の位置ずれの検出時には、多角柱体Ｆを回転して画像読取部３０と対向する位置に背景部材Ｆ１を配置して用紙Ｐの表面を読み取り、キャリブレーションの実行時には、多角柱体Ｆを回転して画像読取部３０と対向する位置に色見本部材Ｆ２を配置し、用紙Ｐと用紙Ｐの間で色見本部材Ｆ２を読み取る。
【先行技術文献】
【特許文献】
【０００５】
【特許文献１】特開２００３−２１１７７０号公報
【特許文献２】特開平１１−１２７３５０号公報
【発明の概要】
【発明が解決しようとする課題】
【０００６】
用紙が規定サイズにカットされたカット紙である場合、図１０に示すように用紙Ｐと用紙Ｐの間隔があるため、用紙Ｐの下に位置する色見本部材Ｆ２を読み取る機会がある。
しかしながら、用紙がロール紙のような長尺紙である場合、用紙が連続して搬送されるため、用紙と用紙の間隔がなく、画像形成の停止中も搬送経路上に用紙が残るため、画像読取部が用紙の下に配置されている色見本部材を読み取ることができない。
【０００７】
本発明の課題は、長尺紙を使用する場合も、用紙面の読み取りと色見本部材の読み取りを切り替えることである。
【課題を解決するための手段】
【０００８】
請求項１に記載の発明によれば、
搬送経路に沿って長尺紙を搬送する搬送部材と、
前記長尺紙上に画像形成する画像形成部と、
前記画像形成部により画像形成され、前記搬送経路に沿って搬送される長尺紙上の画像を読み取る画像読取部と、
色見本部材と、を備え、
前記画像読取部に対向する位置の前記搬送経路を変更することにより、前記画像読取部が前記長尺紙面を読み取る第１配置と、前記画像読取部が前記色見本部材を読み取る第２配置と、を切り替える
ことを特徴とする画像形成装置が提供される。
【０００９】
請求項２に記載の発明によれば、
前記色見本部材及び前記搬送部材を移動することにより、前記搬送経路を変更する
ことを特徴とする請求項１に記載の画像形成装置が提供される。
【００１０】
請求項３に記載の発明によれば、
前記搬送経路の変更前後において、前記長尺紙の張力が一定となるように、前記長尺紙の搬送速度を調整する
ことを特徴とする請求項１又は２に記載の画像形成装置が提供される。
【００１１】
請求項４に記載の発明によれば、
前記色見本部材は、前記画像読取部と対向する表面に複数の色領域を備え、
前記色見本部材が備える各色領域と、前記画像読取部とが対向するように、前記色見本部材及び前記搬送部材の移動量を調整する
ことを特徴とする請求項１〜３のいずれか一項に記載の画像形成装置が提供される。
【００１２】
請求項５に記載の発明によれば、
前記第２配置において、前記色見本部材を介して前記画像読取部と対向する位置における前記長尺紙の搬送を停止する
ことを特徴とする請求項１〜４のいずれか一項に記載の画像形成装置が提供される。
【００１３】
請求項６に記載の発明によれば、
前記搬送部材は、前記画像読取部よりも搬送方向上流側に配置された１又は複数のダンサーローラーを備え、
前記第１配置から前記第２配置への切り替え時、前記ダンサーローラーが移動することにより、前記長尺紙の搬送を停止する
ことを特徴とする請求項５に記載の画像形成装置が提供される。
【００１４】
請求項７に記載の発明によれば、
さらに背景部材を有し、
前記背景部材、前記色見本部材及び前記搬送部材を移動することにより、前記搬送経路を変更する
ことを特徴とする請求項１〜６のいずれか一項に記載の画像形成装置が提供される。
【００１５】
請求項８に記載の発明によれば、
前記画像読取部は撮像素子を用いたセンサーである
ことを特徴とする請求項１〜７のいずれか一項に記載の画像形成装置が提供される。
【００１６】
請求項９に記載の発明によれば、
前記色見本部材は白の色領域を有する
ことを特徴とする請求項１〜８のいずれか一項に記載の画像形成装置が提供される。
【発明の効果】
【００１７】
本発明によれば、長尺紙を使用する場合も、用紙面の読み取りと色見本部材の読み取りを切り替えることができる。
【図面の簡単な説明】
【００１８】
【図１】本発明の実施の形態の画像形成装置の概略構成を示す正面図である。
【図２】画像形成装置の構成を機能ごとに表すブロック図である。
【図３Ａ】画像読取部と背景部材が長尺紙を介して対向する第１配置を示す正面図である。
【図３Ｂ】画像読取部と色見本部材が対向する第２配置を示す正面図である。
【図４】画像形成中に第１配置と第２配置を切り替えるときの画像形成装置の処理手順を示すフローチャートである。
【図５】色見本部材が備える複数の色領域のうち、画像読取部と対向する色領域を切り替えたときの第２配置を示す図である。
【図６】第１配置から第２配置へ切り替えるときの搬送経路の他の変更例を示す正面図である。
【図７】多角柱体である背景部材と色見本部材の例を示す正面図である。
【図８Ａ】ダンサーローラーを用いたときの第１配置を示す正面図である。
【図８Ｂ】ダンサーローラーを用いたときの第２配置を示す正面図である。
【図９】複数のダンサーローラーの使用例を示す正面図である。
【図１０】用紙がカット紙である場合の背景部材と色見本部材の切り替え例を示す正面図である。
【発明を実施するための形態】
【００１９】
以下、本発明の画像形成装置の実施の形態について、図面を参照して説明する。
【００２０】
図１は、本発明の実施の形態の画像形成装置Ｇの概略構成を示している。
画像形成装置Ｇは、図１に示すように、ローラー、ベルト等の搬送部材５０により長尺紙を搬送して、当該長尺紙上に画像を形成する画像形成部２０を備えている。長尺紙とは、画像形成装置Ｇの給紙位置から排紙位置までの搬送経路の長さよりも搬送方向の長さが長い、ロール紙等の用紙をいう。
また、画像形成装置Ｇは、図１に示すように画像読取部３０を備え、画像読取部３０により長尺紙面を読み取って、画像の位置ずれ、欠陥等の検査や各種キャリブレーションを実施することができる。
【００２１】
画像形成装置Ｇは、画像読取部３０と対向する位置に移動可能な背景部材４１及び色見本部材４２を備え、画像の検査時には画像読取部３０と背景部材４１が長尺紙を介して対向する第１配置に切り替え、キャリブレーションの実行時には画像読取部３０と色見本部材４２が対向する第２配置に切り替えることができる。
【００２２】
図２は、画像形成装置Ｇの構成を機能ごとに表している。
画像形成装置Ｇは、図２に示すように、制御部１１、記憶部１２、操作部１３、表示部１４、通信部１５、画像生成部１６、画像読取部１７、画像メモリー１８、画像処理部１９、画像形成部２０及び画像読取部３０を備えて構成されている。
【００２３】
制御部１１は、記憶部１２に記憶されているプログラムを読み出し、当該プログラムを実行することにより画像形成装置Ｇの各部を制御する。制御部１１は、ＣＰＵ（Central Processing Unit）、ＲＡＭ（Random Access Memory）等により構成することができる。
例えば、制御部１１は、画像生成部１６又は画像読取部１７により生成された原画像を、画像処理部１９により画像処理させて、画像処理後の原画像に基づいて、画像形成部２０により長尺紙上に画像を形成させる。
【００２４】
制御部１１は、画像の位置ずれや欠陥等の検査時、背景部材４１、色見本部材４２及び搬送部材５０を移動する制御を行って、画像読取部３０と背景部材４１が長尺紙を介して対向する第１配置に切り替え、画像読取部３０により背景部材４１を背景にした長尺紙面の読み取りを行わせる。
制御部１１は、長尺紙面の読取画像をシェーディング補正した後、検品済みの正常画像と比較し、閾値以上の差があれば位置ずれや欠陥等の異常として検出する。
【００２５】
制御部１１は、シェーディング補正値の調整や形成する画像の濃度調整等のキャリブレーションの実行時、背景部材４１、色見本部材４２及び搬送部材５０を移動する制御を行って、画像読取部３０と色見本部材４２が対向する第２配置に切り替え、画像読取部３０により色見本部材４２の読み取りを行わせる。
制御部１１は、色見本部材４２の読取画像をシェーディング補正した後、基準色の画像と比較し、その差に応じて、シェーディング補正値を算出するか、画像処理部１９が色変換に用いるルックアップテーブルを更新する。
【００２６】
記憶部１２は、制御部１１により読み取り可能なプログラム、プログラムの実行時に用いられるデータ等を記憶している。記憶部１２としては、ハードディスク等の大容量メモリーを用いることができる。
【００２７】
操作部１３及び表示部１４は、図１に示すように画像形成装置Ｇの上部にユーザーインターフェイスとして設けられている。
操作部１３は、ユーザーの操作に応じた操作信号を生成し、制御部１１に出力する。操作部１３としては、例えばキー、表示部１４と一体に構成されたタッチパネル等が挙げられる。
表示部１４は、制御部１１の指示にしたがって操作画面等を表示する。表示部１４としては、ＬＣＤ（Liquid Crystal Display）、ＯＥＬＤ（Organic Electro Luminescence Display）等を用いることができる。
【００２８】
通信部１５は、ユーザー端末、サーバー、他の画像形成装置等のネットワーク上の外部装置と通信する。
例えば、通信部１５は、ユーザー端末からネットワークを介してページ記述言語（ＰＤＬ：Page Description Language）で記述されたデータ（以下、ＰＤＬデータという）を受信する。
【００２９】
画像生成部１６は、通信部１５により受信したＰＤＬデータをラスタライズ処理し、ビットマップ形式の原画像を生成する。原画像は、各画素がＣ（シアン）、Ｍ（マジェンタ）、Ｙ（イエロー）及びＫ（黒）の４色の画素値を有する。画素値は、画像の濃淡を表すデータ値であり、例えば８ｂｉｔのデータ値は０〜２５５階調の濃淡を表す。
【００３０】
画像読取部１７は、図１に示すように自動原稿送り装置、スキャナー等からなり、原稿台上にセットされた原稿面を読み取って、ビットマップ形式の原画像を生成する。画像読取部１７により生成された原画像は、各画素がＲ（赤）、Ｇ（緑）及びＢ（青）の３色の画素値を有する。この原画像は、図示しない色変換部によって、Ｃ、Ｍ、Ｙ及びＫの４色の画素値を有する原画像に色変換される。
【００３１】
画像メモリー１８は、画像生成部１６又は画像読取部１７により生成された原画像を一時的に保持するバッファーメモリーである。画像メモリー１８としては、ＤＲＡＭ（Dynamic RAM）等を用いることができる。
【００３２】
画像処理部１９は、画像メモリー１８から原画像を読み出して、濃度補正処理、中間調処理等の画像処理を施す。
濃度補正処理は、原画像の各画素の画素値を、長尺紙上に形成された画像の濃度が目標の濃度と一致するように補正した画素値に変換する処理である。
中間調処理は、中間調を疑似的に再現するための処理であり、例えば誤差拡散処理、組織的ディザ法を用いたスクリーン処理等である。
【００３３】
画像形成部２０は、画像処理部１９により画像処理された原画像の各画素の画素値に応じて、Ｃ、Ｍ、Ｙ及びＫの４色からなる画像を長尺紙上に形成する。
画像形成部２０は、図１に示すように、４つの書込みユニット２１、中間転写ベルト２２、２次転写ローラー２３、定着装置２４及び給紙トレイ２５を備えている。
【００３４】
４つの書込みユニット２１は、中間転写ベルト２２のベルト面に沿って直列（タンデム）に配置され、Ｃ、Ｍ、Ｙ及びＫの各色の画像を形成する。各書込みユニット２１は形成する画像の色が異なるだけで構成は同じであり、図１に示すように、光走査装置２ａ、感光体２ｂ、現像部２ｃ、帯電部２ｄ、クリーニング部２ｅ及び１次転写ローラー２ｆを備えている。
【００３５】
画像形成時、各書込みユニット２１では、帯電部２ｄにより感光体２ｂを帯電させた後、原画像に基づいて光走査装置２ａにより出射した光束で感光体２ｂ上を走査し、静電潜像を形成する。現像部２ｃによりトナー等の色材を供給して現像すると、感光体２ｂ上に画像が形成される。
４つの書込みユニット２１の感光体２ｂ上にそれぞれ形成した画像を、それぞれの１次転写ローラー２ｆにより、中間転写ベルト２２上に順次重ねて転写（１次転写）する。これにより、中間転写ベルト２２上には各色からなる画像が形成される。１次転写後、クリーニング部２ｅにより感光体２ｂ上に残留する色材を除去する。
【００３６】
画像形成部２０は、搬送部材５０によりロール状の長尺紙を巻き出して搬送し、２次転写ローラー２３により中間転写ベルト２２から長尺紙上に画像を転写（２次転写）する。画像形成部２０は、この画像が転写された長尺紙を定着装置２４により加熱及び加圧して、定着処理を施した後、搬送部材５０により長尺紙を巻き取る。
図１に示すように、画像形成部２０がカット紙の給紙トレイ２５とカット紙の表裏を反転できる搬送経路２６を備えて、カット紙の片面又は両面に画像を形成できる構成であってもよい。カット紙とは、Ａ４サイズ等の規定のサイズにカットされた用紙をいう。
【００３７】
画像読取部３０は、図１に示すように、画像形成後の長尺紙の搬送経路上に配置され、当該長尺紙面を読み取ってビットマップ形式の読取画像を生成する。
画像読取部３０としては、ＣＣＤ（Charge Coupled Device）等の撮像素子を用いたラインセンサーやエリアセンサー等を用いることができる。
【００３８】
この画像読取部３０と対向する位置に移動可能に、背景部材４１及び色見本部材４２が長尺紙の搬送経路上に並べて配置されている。
背景部材４１は白色や黒色等の背景色の表面を有し、画像読取部３０により長尺紙面を読み取るときの反射板として機能する。色見本部材４２は基準色の表面を有している。
画像の検査時の読み取りの対象は長尺紙であるため、検査時には第１配置に切り替え、画像読取部３０と長尺紙を対向させて長尺紙の背面に背景部材４１を位置させる一方、キャリブレーション時の読み取りの対象は色見本部材４２であるため、キャリブレーション時には第２配置に切り替え、長尺紙に代えて色見本部材４２を画像読取部３０と対向させる必要がある。
【００３９】
図３Ａは、画像読取部３０と背景部材４１が長尺紙を介して対向する第１配置を示し、図３Ｂは、画像読取部３０と色見本部材４２が対向する第２配置を示している。
図３Ａ及び図３Ｂに示すように、背景部材４１と色見本部材４２は長尺紙の搬送方向ｙに並べて配置され、高さ方向ｚの位置がほぼ同じである。背景部材４１は画像読取部３０と対向する表面に、通常読み取り用の白の色領域４１１と裏写り防止用の黒の色領域４１２を有している。また、色見本部材４２は画像読取部３０と対向する表面に、シェーディング補正用の白の色領域４２１とＣ、Ｍ、Ｙ及びＫの各色領域４２２〜４２５を有している。
【００４０】
色見本部材４２の前後には、搬送部材５０である４つのローラー５１〜５４が配置されている。
各ローラー５１〜５４により、搬送する長尺紙が画像読取部３０と背景部材４１間を通過した後、色見本部材４２の下方を通過するように長尺紙の高さ方向ｚの位置を異ならせた搬送経路が形成されている。このような搬送経路によれば、図３Ｂに示すように、第２配置において画像読取部３０と色見本部材４２間を回避するように、長尺紙を搬送することができる。
【００４１】
背景部材４１、色見本部材４２、ローラー５１及び５２は、長尺紙の搬送方向ｙに移動することができる。
これらの移動手段としては特に限定されず、例えばモーター、モーターの出力軸に連結されたギア、ギアに巻き架けられて回転するタイミングベルト等を用いることができる。タイミングベルトに背景部材４１、色見本部材４２及びローラー５１及び５２を連結し、モーターによりタイミングベルトを回転駆動することにより、背景部材４１、色見本部材４２及びローラー５１及び５２を搬送方向ｙに線形移動させることができる。
【００４２】
背景部材４１及び色見本部材４２の移動に連動して、ローラー５１及び５２が移動することにより、第１配置から第２配置への切り替え時には、図３Ｂに示すように画像読取部３０と対向する位置から長尺紙が退避し、第２配置から第１配置への切り替え時には、図３Ａに示すように画像読取部３０と長尺紙が対向するように、長尺紙の搬送経路を変更することができる。
【００４３】
図４は、画像形成中に第１配置と第２配置を切り替えるときの画像形成装置Ｇの処理手順を示している。
画像形成中は、画像読取部３０により長尺紙面を読み取って画像の検査を行うため、図３Ａに示すように、画像読取部３０と背景部材４１が長尺紙を介して対向する第１配置にある。ここで、前回のキャリブレーションの実行時から一定時間経過すると、キャリブレーションを実行する。
図４に示すように、制御部１１は、キャリブレーションを開始するタイミングに至ったと判断すると（ステップＳ１：Ｙ）、背景部材４１、色見本部材４２、ローラー５１及び５２を移動する制御を行い、画像読取部３０と色見本部材４２が対向する第２配置に切り替える（ステップＳ２）。
【００４４】
具体的には、図３Ｂに示すように、色見本部材４２が画像読取部３０と対向する位置に至るまで、背景部材４１、色見本部材４２、ローラー５１及び５２がともに搬送方向ｙ上流側へ移動する。ローラー５１及び５２が移動して長尺紙の搬送経路を変更することにより、色見本部材４２と画像読取部３０が長尺紙を挟まずに対向することができ、画像読取部３０が色見本部材４２の基準色を読み取ることができる。
【００４５】
背景部材４１、色見本部材４２及び各ローラー５１及び５２の移動量を調整することにより、色見本部材４２の色領域４２１〜４２５のなかでも、画像読取部３０と対向する色領域を選択することができる。これにより、画像読取部３０が、色見本部材４２の複数の基準色のうちの任意の基準色を読み取ることができる。第１配置においても同様にして、移動量の調整により、背景部材４１の色領域４１１及び４１２のうち、画像読取部３０と対向する色領域を選択することができる。
図５は、画像読取部３０が対向する色見本部材４２の色領域４２１を、色領域４２２に変更した例を示している。
【００４６】
なお、第１配置と第２配置の切り替え時における搬送経路の変更形態は、特に限定されない。
例えば、図３Ａ及び図３Ｂは、ローラー５１及び５２を移動して搬送経路の長さを変えずに搬送経路を変更する例を示しているが、一方のローラー５１のみが移動することによって、図６に示すように搬送経路を変更することもできる。
【００４７】
図６に示すように、搬送経路の変更によって搬送経路の長さが変化する場合、変更前後において長尺紙の張力が一定となるように、長尺紙の搬送速度を変更することが好ましい。これにより、長尺紙のツレやたるみ等の搬送不良を防止することができる。
例えば、図３Ａに示す第１配置から図６に示す第２配置に切り替える場合、搬送経路の長さが長くなるため、搬送速度を遅くする。逆に、図６に示す第２配置から図３Ａに示す第１配置に切り替える場合、搬送経路の長さが短くなるため、搬送速度を速めればよい。
【００４８】
また、背景部材４１及び色見本部材４２は、上述のように板状部材ではなく、回転する多角柱体であってもよい。
図７は、多角柱体である背景部材４１及び色見本部材４２の例を示している。
図７に示すように、背景部材４１は三角柱体の側面に色領域４１１及び４１２を備えている。また、色見本部材４２は六角柱体の側面に色領域４２１〜４２５を備えている。このような背景部材４１及び色見本部材４２は、回転することで画像読取部３０と対向する色領域を切り替えることができる。板状部材に比べて、背景部材４１及び色見本部材４２の移動量を減らすことができ、配置の切り替え時間を短縮できるため、好ましい。
【００４９】
画像形成装置Ｇは、画像読取部３０と対向する位置で長尺紙の搬送を停止することもできる。
図８Ａ及び図８Ｂは、画像形成装置Ｇが、画像読取部３０よりも搬送方向ｙ上流側に配置されたダンサーローラー５７を備えた場合の構成例を示している。
第１配置から第２配置への切り替え時、図８Ｂに示すように、背景部材４１、色見本部材４２、ローラー５１及び５２が搬送方向ｙ上流側に移動すると、この移動に連動して、ダンサーローラー５７が高さ方向ｚ下側へ移動し、ローラー５１及び５２の移動により生じる長尺紙のたるみを吸収する。これにより、ダンサーローラー５７以降の長尺紙の搬送を停止することができる。
色見本部材４２の読み取りが終了し、画像読取部３０と背景部材４１が対向する第１配置に切り替える場合は、図８Ａに示すように背景部材４１、色見本部材４２、ローラー５１及び５２の搬送方向ｙ下流側への移動に連動して、ダンサーローラー５７が高さ方向ｚ上側に移動すればよい。これにより、ダンサーローラー５７以降の搬送方向ｙ下流への長尺紙の搬送を再開することができる。
【００５０】
図９に示すように、複数のダンサーローラー５７を使用すれば、画像読取部３０と対向する位置における長尺紙の搬送停止時間を長くすることができる。
搬送停止時、高さ方向ｚ上側に配置された各ダンサーローラー５７はさらに上側に移動し、高さ方向ｚ下側に配置された各ダンサーローラー５７はさらに下側に移動する。目的の搬送停止時間に合わせて、複数のダンサーローラー５７のうち、移動するダンサーローラー５７の数や移動量を調整してもよい。
【００５１】
第１配置から第２配置に切り替え後、画像読取部３０が色見本部材４２の読み取りを開始する（ステップＳ３）。そして、読み取りが完了すると（ステップＳ４：Ｙ）、背景部材４１、色見本部材４２、ローラー５１及び５２が移動して、画像読取部３０と背景部材４１が長尺紙を介して対向する第１配置に切り替える（ステップＳ５）。
例えば、図３Ｂに示す第２配置にある場合、図３Ａに示すように背景部材４１が画像読取部３０と対向する位置まで、背景部材４１、色見本部材４２、ローラー５１及び５２が搬送方向ｙ下流側に移動することにより、第１配置へ切り替えることができる。
【００５２】
以上のように、本実施の形態の画像形成装置Ｇは、搬送部材５０により長尺紙を搬送し、当該長尺紙上に画像を形成する画像形成部２０と、画像形成部２０により画像が形成された長尺紙面を読み取る画像読取部３０と、画像読取部３０と対向する位置に配置可能な背景部材４１及び色見本部材４２と、を備え、搬送部材５０により、長尺紙が画像読取部３０と背景部材４１間を通過し、色見本部材４２と画像読取部３０間を回避するように長尺紙を搬送し、背景部材４１、色見本部材４２及び搬送部材５０を移動することにより、画像読取部３０と背景部材４１が長尺紙を介して対向する第１配置と、画像読取部３０と色見本部材４２が対向する第２配置とを切り替える。
【００５３】
これにより、長尺紙を使用する場合も、用紙面の読み取りと色見本部材４２の読み取りを切り替えることができる。キャリブレーションのために、長尺紙の搬送を停止していったん搬送経路から取り除く作業が必要なく、画像形成中のキャリブレーションも可能であるため、良好な画質を維持することができる。
【００５４】
上記実施の形態は本発明の好適な一例であり、これに限定されない。本発明の主旨を逸脱しない範囲で適宜変更可能である。
例えば、上記実施の形態では、画像読取部３０の位置を固定して、背景部材４１及び色見本部材４２の位置を変更することによって、画像読取部３０と背景部材４１が長尺紙を介して対向する配置と、画像読取部３０と色見本部材４２が対向する配置と、を切り替えていた。画像読取部３０は高精細な機器であり、背景部材４１等よりも大型であることから、背景部材４１及び色見本部材４２を移動する方が、位置調整が容易であるが、画像読取部３０の位置を移動することによっても、第１配置と第２配置を切り替えることができる。画像読取部３０を移動する場合も背景部材４１又は色見本部材４２が備える各色領域と画像読取部３０が対向するように、その移動量を調整すればよい。
【符号の説明】
【００５５】
Ｇ    画像形成装置
１１    制御部
２０    画像形成部
３０    画像読取部
４１    背景部材
４１１、４１２    背景色の色領域
４２    色見本部材
４２１〜４２５    基準色の色領域
５０    搬送部材
５１〜５６    ローラー
５７    ダンサーローラー
【図１】
2019054553.tif 000003
【図２】
2019054553.tif 000004
【図３Ａ】
2019054553.tif 000005
【図３Ｂ】
2019054553.tif 000006
【図４】
2019054553.tif 000007
【図５】
2019054553.tif 000008
【図６】
2019054553.tif 000009
【図７】
2019054553.tif 000010
【図８Ａ】
2019054553.tif 000011
【図８Ｂ】
2019054553.tif 000012
【図９】
2019054553.tif 000013
【図１０】
2019054553.tif 000014